(57)【要約】【課題】  多数の表示記録媒体に誤りなくかつ効率よく表示の書換えを実行できる表示情報管理システムを得る。【解決手段】  表示内容を書換え可能で、表示内容を電力を供給することなく保持できるメモリ特性を有する表示素子と、個別の識別コードを記憶している記録媒体とを含む表示記録媒体１００の表示内容を書き換える管理システム。表示記録媒体１００を書き換えるためのリーダライタ４００は、表示記録媒体１００に電力及び表示情報を与え、かつ、表示記録媒体１００から識別コードを読み取る電力送信手段４０５を備え、識別コードと該コードに対応した書き換えるべき表示情報などはサーバ５００によって集中管理する。【選択図】  図４
2007066143.tif 000002
【特許請求の範囲】
【請求項１】
表示内容を書換え可能で、表示内容を電力を供給することなく保持できるメモリ特性を有する表示素子と、個別の識別情報を記録している記録媒体とを含む表示記録媒体と、
前記表示記録媒体に書き込むべき表示情報を与える書込み手段と、
前記記録媒体に記録されている識別情報を読み取る読取り手段と、
作業者に作業指示情報を伝達する作業指示情報伝達手段と、
前記表示情報と前記識別情報を集中管理するサーバと、
を備えたことを特徴とする表示情報管理システム。
【請求項２】
前記サーバは前記読取り手段にて読み取られた識別情報に基づいて表示情報及び作業指示情報を決定することを特徴とする請求項１に記載の表示情報管理システム。
【請求項３】
前記表示記録媒体は非接触で電力を受け取る電力受信手段を有し、該電力受信手段に電力を供給する電力送信手段を備えていることを特徴とする請求項１又は請求項２に記載の表示情報管理システム。
【請求項４】
前記電力送信手段及び前記電力受信手段は電磁誘導方式によるものであることを特徴とする請求項３に記載の表示情報管理システム。
【請求項５】
前記書込み手段、前記読取り手段及び前記作業指示情報伝達手段が一体化されていることを特徴とする請求項１ないし請求項４のいずれかに記載の表示情報管理システム。
【請求項６】
前記書込み手段、前記読取り手段及び前記作業指示情報伝達手段の少なくとも一つは、前記サーバと通信を行うための通信手段を備えていることを特徴とする請求項１ないし請求項５のいずれかに記載の表示情報管理システム。
【請求項７】
前記通信手段は有線であることを特徴とする請求項６に記載の表示情報管理システム。
【請求項８】
前記通信手段は無線であることを特徴とする請求項６に記載の表示情報管理システム。
【請求項９】
前記作業指示情報伝達手段は書換え可能な画像表示部を備えたものであることを特徴とする請求項１ないし請求項８のいずれかに記載の表示情報管理システム。
【請求項１０】
前記作業指示情報伝達手段は音声を発信するものであることを特徴とする請求項１ないし請求項８のいずれかに記載の表示情報管理システム。
【請求項１１】
前記通信手段は前記読取り手段が読み取った前記識別情報を前記サーバに送信し、
前記サーバは送信された前記識別情報に対応した表示情報を前記書込み手段に送信し、
前記書込み手段は送信された前記表示情報を前記表示素子に書き込むことを、
を特徴とする請求項１ないし請求項１０のいずれかに記載の表示情報管理システム。
【請求項１２】
前記識別情報が書き換える必要のない表示記録媒体に対応したものであった場合、前記サーバは前記作業指示情報伝達手段を通じて作業者に警告を与え、及び／又は書込み手段を通じた書込みを禁止することを特徴とする請求項１１に記載の表示情報管理システム。
【請求項１３】
予定された作業が全て終了した場合、前記サーバは前記作業指示情報伝達手段を通じて作業者に作業終了を知らせることを特徴とする請求項１１又は請求項１２に記載の表示情報管理システム。
【請求項１４】
一時的に前記表示情報と前記識別情報の組を複数記憶する一時記憶手段と、
前記一時記憶手段、前記書込み手段、前記読取り手段及び前記作業指示情報伝達手段を制御する制御手段と、を備え、
前記制御手段は前記読取り手段にて読み取られた識別情報及び前記一時記憶手段に記憶されている情報に基づいて表示情報及び作業指示情報を決定すること、
を特徴とする請求項１に記載の表示情報管理システム。
【請求項１５】
前記読取り手段が読み取った識別情報が前記一時記憶手段に記憶されている識別情報に含まれていない場合、前記制御手段は前記作業指示情報伝達手段を通じて作業者に警告を与え、及び／又は前記書込み手段を通じた書込みを禁止することを特徴とする請求項１４に記載の表示情報管理システム。
【請求項１６】
前記サーバは前記一時記憶手段に対して重複しないように前記表示情報と前記識別情報の組を送信することを特徴とする請求項１４又は請求項１５に記載の表示情報管理システム。
【請求項１７】
予定された作業が全て終了した場合、前記制御手段は前記作業指示情報伝達手段を通じて作業者に作業終了を知らせることを特徴とする請求項１４ないし請求項１６のいずれかに記載の表示情報管理システム。
【発明の詳細な説明】
【技術分野】
【０００１】
本発明は、表示情報管理システム、特に、スーパーマーケットや家電機器の量販店など比較的大型の店舗における値札などの表示記録媒体の情報管理システムに関する。
【背景技術】
【０００２】
近年、資源の無駄遣いを防ぐ目的で、表示内容を繰り返して書換え可能な名札、値札、商品プレートなどの表示記録媒体が提案されている（特許文献１参照）。また、これらの書換え可能な表示記録媒体と書換え履歴を集中管理するサーバとを組み合わせたシステムが提案されている（特許文献２参照）。
【０００３】
この種の表示記録媒体や管理システムにおいて、例えば、値札システムの場合、値段情報を書換え可能な表示素子と識別コードが記録された記録媒体を備えた値札（表示記録媒体）と、表示素子に表示を実行させる書込み手段と、識別コードを読み取る読取り手段と、表示内容と識別コードを対応付けて蓄積する蓄積手段を備えている。
【０００４】
前記蓄積手段に、表示内容と識別コードを対応付けて蓄積することで、どの値札にどのような値段を書き込んだかという履歴が集中管理される。このように集中管理されたデータは、商品の価格情報、売上個数などをレジでの決済と連動させた在庫管理やマーケティングに役立てるために集中管理するＰＯＳ（Point  Of  Sales）システムと連携することが容易で、例えば、在庫が少なくなってきた場合などに特価品として安い値段を表示するといったことが簡単にできるようになる。
【０００５】
前記管理システムでは、値札に値段などの情報を書き換えるために、作業者が書込み機を持って値札の前に行き、値札に書換えの指示を与えることで、書換えを行っていた。しかしながら、このような書換え作業では、大型店舗においては書換えの対象となる値札は膨大な数であるため、人為的なミスが発生することが多かった。
【０００６】
前記特許文献１，２には、多数の値札のうち、どの値札を書き換えるべきかという問題については記載されていない。一般的には、書換えを行うべき値札は、例えば、開店前にサーバに接続されたプリンタからプリントアウトするなどして、作業者が紙のリストとして持ち歩き、書き換えたかどうかは作業者が逐次該リスト上でチェックを行うと推定される。このようにして書換え作業を行った場合、書き換えた値札の情報はサーバに送信されるため、間違えて書き込んだ場合は判別が可能である。しかし、間違いの連絡や訂正に余計な時間をとられてしまう。しかも、実際には紙のリストへのチェックを間違えてしまって、書き換えなくてもよい値札を書き換えようとして作業時間を無駄にしたり、まだ書き換えていない値札を書換えが終了したと勘違いしてしまうといった問題点も残されている。
【特許文献１】特開平１１−２４５６７号公報
【特許文献２】特開２００２−２０３２１３号公報
【発明の開示】
【発明が解決しようとする課題】
【０００７】
そこで、本発明の目的は、多数の表示記録媒体に表示を誤りなくかつ効率よく表示の書換えを実行できる表示情報管理システムを提供することにある。
【課題を解決するための手段】
【０００８】
以上の目的を達成するため、本発明に係る表示情報管理システムは、
表示内容を書換え可能で、表示内容を電力を供給することなく保持できるメモリ特性を有する表示素子と、個別の識別情報を記録している記録媒体とを含む表示記録媒体と、
前記表示記録媒体に書き込むべき表示情報を与える書込み手段と、
前記記録媒体に記録されている識別情報を読み取る読取り手段と、
作業者に作業指示情報を伝達する作業指示情報伝達手段と、
前記表示情報と前記識別情報を集中管理するサーバと、
を備えたことを特徴とする。
【０００９】
本発明に係る表示情報管理システムにおいて、表示記録媒体は例えば商品の値札や商品プレートなどであり、サーバが表示情報と識別情報を集中管理することにより、多数の表示記録媒体に表示を行う作業者に正確で適切な作業を指示することができ、表示作業の効率化を実現することができる。
【００１０】
本発明に係る表示情報管理システムにおいては、サーバが読取り手段にて読み取られた識別情報に基づいて表示情報及び作業指示情報を決定することが好ましい。サーバによる一元管理が行われ、間違った表示情報や作業指示情報を発信するおそれはない。
【００１１】
また、表示記録媒体は非接触で電力を受け取る電力受信手段を有し、該電力受信手段に電力を供給する電力送信手段を備えていることが好ましい。電力送信手段及び電力受信手段は電磁誘導方式によるものを好適に使用することができる。
【００１２】
書込み手段、読取り手段及び作業指示情報伝達手段が一体化されていてもよい。また、書込み手段、読取り手段及び作業指示情報伝達手段の少なくとも一つは、サーバと通信を行うための通信手段を備えていてもよい。この通信手段は有線又は無線のいずれであってもよい。また、作業指示情報伝達手段は書換え可能な画像表示部を備えたものであってもよく、あるいは、音声を発信するものであってもよい。
【００１３】
さらに、通信手段は読取り手段が読み取った識別情報をサーバに送信し、該サーバは送信された識別情報に対応した表示情報を書込み手段に送信し、書込み手段は送信された表示情報を表示素子に書き込むようにしてもよい。
【００１４】
また、識別情報が書き換える必要のない表示記録媒体に対応したものであった場合、サーバは作業指示情報伝達手段を通じて作業者に警告を与え、及び／又は書込み手段を通じた書込みを禁止するようにしてもよい。あるいは、予定された作業が全て終了した場合、サーバは作業指示情報伝達手段を通じて作業者に作業終了を知らせるようにしてもよい。
【００１５】
さらに、本発明に係る表示情報管理システムは、一時的に表示情報と識別情報の組を複数記憶する一時記憶手段と、該一時記憶手段、書込み手段、読取り手段及び作業指示情報伝達手段を制御する制御手段とを備え、該制御手段は読取り手段にて読み取られた識別情報及び一時記憶手段に記憶されている情報に基づいて表示情報及び作業指示情報を決定するようにしてもよい。
【００１６】
この場合、読取り手段が読み取った識別情報が一時記憶手段に記憶されている識別情報に含まれていない場合、制御手段は作業指示情報伝達手段を通じて作業者に警告を与え、及び／又は書込み手段を通じた書込みを禁止する。また、サーバは一時記憶手段に対して他の一時記憶手段と重複しないように表示情報と識別情報の組を送信することが好ましい。さらに、予定された作業が全て終了した場合、制御手段が作業指示情報伝達手段を通じて作業者に作業終了を知らせるようにしてもよい。
【発明を実施するための最良の形態】
【００１７】
以下、本発明に係る表示情報管理システムの実施例について、添付図面を参照して説明する。
【００１８】
（表示記録媒体、図１〜図３参照）
本発明に係る表示情報管理システムで用いられる表示記録媒体の一例を図１に示す。この表示記録媒体１００は、商品内容や値段を表示するための値札として構成されており、表示素子１０１と、個別の識別情報（識別コード）を記録している記録媒体１０２を備えている。表示記録媒体１００は、さらに、表示素子１０１に書換え信号を印加するための駆動回路１０３、外部から非接触で電力を受け取るための電力受信手段１０４を備えている。
【００１９】
表示素子１０１は表示内容を電力を供給することなく保持できるメモリ特性を有するものである。この表示素子１０１としては、例えば、カイラルネマチック液晶表示素子、エレクトロクロミック表示素子、サーモクロミック表示素子、電気泳動表示素子、電解析出表示素子などを使用することができる。
【００２０】
記録媒体１０２は表示記録媒体１００自体の固体識別のための識別コードが記録されている。この記録媒体１０２としては、一般的に利用されているバーコードが用いられている。それ以外にも、２次元バーコードやＲＦＩＤなどを用いることができる。特に、ＲＦＩＤは記録媒体１０２と以下に説明するリーダライタ４００の位置関係が厳密でなくても読み取ることができ、利用しやすい。
【００２１】
駆動回路１０３は表示素子１０１に書換え信号を印加するためのもので、表示素子１０１が電気的信号により書き換えられる素子である場合に必須である。電力受信手段１０４は、例えば、１ＭＨｚ以下の周波数の電磁波で電力を受け取る場合、コイルを用いた電磁誘導方式を好適に用いることができる。
【００２２】
記録媒体１０２、駆動回路１０３及び電力受信手段１０４の電気回路は、ＩＣチップの形状で得ることができる。また、有機ＴＦＴ技術を用いて、印刷によっても低コストで得ることができる。
【００２３】
表示素子１０１として用いられるカイラルネマチック液晶表示素子２００を図２に示す。この液晶表示素子２００は、上基板２０１に配置されたスリット状の走査電極２０３と下基板２０２に配置されたスリット状の信号電極２０４が互いに直交する方向に対向し、両電極２０３，２０４の間にカイラルネマチック液晶２０５が挟持され、両電極２０３，２０４の交差点がマトリクス状に配置された画素として構成されている。
【００２４】
走査電極２０３及び信号電極２０４はそれぞれ前記駆動回路１０３に接続されており、これらの電極２０３，２０４に適切な駆動波形を印加することで、カイラルネマチック液晶２０５の状態を制御することにより、所望の表示状態を得ることができる。なお、ここでは、交差した電極２０３，２０４によって液晶２０５をマトリクス状に駆動する例を示したが、セグメント状に駆動してもよい。この種の液晶２０５による表示方法は周知であり、その説明は省略する。
【００２５】
図３に前記電力受信手段１０４の回路構成を示す。この回路は、共振回路３０１と整流回路３０４とツェナーダイオード３０８と復調回路３０９と発振回路３１０とで構成され、電気回路３２０（前記記録媒体１０２及び駆動回路１０３を意味する）が接続されている。共振回路３０１は磁界を受け取るためのコイル３０２とコンデンサ３０３とで構成され、共振周波数の磁界成分を分離して検出する。整流回路３０４は、ダイオード３０５と抵抗３０６とコンデンサ３０７とで構成されている。
【００２６】
ツェナーダイオード３０８はレギュレータとして機能し、整流回路３０４からの出力を後段の電気回路３２０に適した所定の値にクリップする。一般的には、５Ｖ又は３．３Ｖが望ましい。
【００２７】
共振回路３０１からの出力電圧は電力送信手段４０５（図４で説明する）との距離に影響される。この距離が大きい場合は磁界の結合が弱いため、共振回路３０１の出力電圧は低くなる。電気回路３２０が動作できるのは、ツェナーダイオード３０８の降伏電圧以上の電圧が共振回路３０１から出力された場合である。前記距離が小さい場合は磁界の結合が強いため、共振回路３０１の出力電圧は電気回路３２０を駆動する電圧よりも高くなる。この場合、ツェナーダイオード３０８が電気回路３２０に必要な電圧にレギュレートする。
【００２８】
前記電力受信手段１０４は、表示素子１０１に与える表示情報と記録媒体１０２から読み取った識別情報の送受信にも利用される。即ち、復調回路３０９はコイル３０２で受けた信号から目的の信号を復調する。発信回路３１０は識別情報をリーダライタ４００（図４で説明する）へ送信する。この場合、表示情報、識別情報を異なる周波数に設定することで、これらの情報を分離して送受信することが可能となる。
【００２９】
（リーダライタ、図４参照）
リーダライタ４００は、図４に示すように、書込み手段、読取り手段及び作業指示情報伝達手段を一体化したものである。即ち、このリーダライタ４００は、ＣＰＵ４０１、メモリ４０２、作業指示情報伝達手段４０３、通信手段４０４、電力送信手段４０５、電力蓄積手段４０６、データバス４０７及びシステムバス４０８にて構成されている。
【００３０】
ＣＰＵ４０１は、前記各構成部品をデータバス４０７及びシステムバス４０８を介してコントロールする。メモリ４０２は、表示素子１０１に与える表示情報や記録媒体１０２から読み取った識別情報の一時的な記憶や、ＣＰＵ４０１の作業領域として利用される。
【００３１】
作業指示情報伝達手段４０３は、サーバ５００からの情報に基づいて作業者に作業指示情報を伝達する。作業指示情報伝達手段４０３としては、例えば、ディスプレイデバイスが利用され、作業指示情報をこのディスプレイ上に画像として表示して作業者がその表示を目視することで、サーバ５００から作業者に作業指示を与える。また、作業指示情報伝達手段４０３は音声を発するデバイスであってもよい。この場合、作業指示情報は音声として作業者に伝えられる。
【００３２】
通信手段４０４は、サーバ５００との通信を行うためのもので、例えば、無線ＬＡＮ、Ｂｌｕｅｔｏｏｔｈなどの無線通信手段を利用できる。勿論、通信手段４０４は有線であってもよい。
【００３３】
電力送信手段４０５は前記電力受信手段１０４へ電磁誘導により電力を送信するためのものである。電力蓄積手段４０６は、このリーダライタ４００の各構成部品へ電力を供給するもので、具体的には、電池と電源回路から構成されている。
【００３４】
サーバ５００は、前記表示記録媒体１００の識別情報と、表示素子１０１への表示情報、作業が終了したか否かの作業管理情報、各表示記録媒体１００の物理的な位置情報がセットで記憶されている。表示情報と作業管理情報は何回も更新されるため、その履歴を記憶させてもよい。
【００３５】
（書換え作業の第１例、図５参照）
ここで、以上の構成からなる表示情報管理システムを用いて行われる表示記録媒体１００に対する書換え作業の第１例について図５を参照して説明する。
【００３６】
この例では、値札としての多数の表示記録媒体１００が商品棚５０に並べられている場合を想定している。作業者Ａ，Ｂが所持しているリーダライタ４００Ａ，４００Ｂをそれぞれの表示記録媒体１００Ａ，１００Ｂに近づけると、電力送信手段４０５から電力が送信され、該電力は電力受信手段１０４で受信され、電気回路３２０（記録媒体１０２及び駆動回路１０３）が動作を開始する。まず、記録媒体１０２が応答し、個別の識別コードをリーダライタ４００に返信する。この識別コードは所定の周波数の信号として電力送信手段４０５に送信され、ＣＰＵ４０１を介してメモリ４０２に一時的に記憶される。
【００３７】
識別コードの読取りが完了すると、識別コード情報は通信手段４０４を介してサーバ５００に送信される。サーバ５００はこの識別コード情報に基づいてこの表示記録媒体１００Ａ，１００Ｂに書き込むべき表示情報を決定する。その後、表示情報はリーダライタ４００Ａ，４００Ｂから表示記録媒体１００Ａ，１００Ｂに送信され、自動的に書換えが完了する。なお、個別の表示記録媒体１００Ａ，１００Ｂに書き込むべき表示情報は識別コードと組み合わせて予めサーバ５００に入力されている。
【００３８】
このように、個別の表示記録媒体１００Ａ，１００Ｂの識別コード情報をサーバ５００に転送し、該識別コード情報に基づいてサーバ５００が表示情報を決定することにより、間違った表示情報を表示記録媒体１００Ａ，１００Ｂに与えるおそれが解消される。
【００３９】
なお、読み取られた識別コードが書き換える必要のない表示記録媒体に対応したものであった場合、サーバ５００は作業指示情報伝達手段４０３を通じて作業者に警告を与え、及び／又は表示記録媒体への書込みを禁止する。
【００４０】
また、サーバ５００は、作業者Ａ，Ｂへの指示として、例えば、その表示記録媒体１００Ａ，１００Ｂの次に書き換えるべき表示記録媒体１００Ａ’，１００Ｂ’の物理的な位置の情報を決定する。この位置情報は、現在書換えの対象とされている表示記録媒体１００Ａ，１００Ｂの位置を考慮して、例えば、最も現在位置に近い場所にある書き換えるべき表示記録媒体１００の設置場所である。複数の作業者に対して、それぞれの作業者が効率的に作業できるように決定する。
【００４１】
表示情報と物理的な位置情報とはサーバ５００から通信手段４０４及びＣＰＵ４０１を介してメモリ４０２に記憶される。また、個別の表示記録媒体１００に関する書換え完了の情報は、サーバ５００に送信され、該サーバ５００にて管理される。このように、サーバ５００にて書換え完了の情報を管理することで、作業の脱落がなくなる。
【００４２】
その後、次に作業すべき物理的な位置情報が順次作業指示情報伝達手段４０３を介して作業者に指示される。作業者はその位置情報に基づいて指示された場所に移動し、次の書換え作業を行う。このように、サーバ５００が表示記録媒体１００の識別情報と表示情報と書換えが完了したか否かの情報と物理的な位置情報を集中的に管理し、適切な指示を作業者に与えることで、間違いがなく、効率的な書換え作業が可能になる。
【００４３】
以上の説明は作業指示情報として、次に書き換えるべき表示記録媒体１００の物理的な位置情報を作業者に与える例を示した。これとは別に、作業者が作業指示とは異なる表示記録媒体１００を書き換えようとした場合に該作業者に警告を発し、及び／又は書込みを禁止するようにしてもよい。また、予定された書換え作業が全て完了した場合には、作業の終了を通知してもよい。
【００４４】
（書換え作業の第２例、図６参照）
次に、書換え作業の第２例について図６を参照して説明する。前記第１例では、識別情報、表示情報、作業指示情報及び作業管理情報は全てリアルタイムでサーバ５００が把握していた。そのため、常に最適な作業指示が行えるという利点を有している。しかし、リーダライタ４００は常にサーバ５００と通信を行う必要があり、リーダライタ４００の消費電力が大きくなってしまう。
【００４５】
そこで、本第２例では、前記サーバ５００が管理していた表示記録媒体１００の識別情報、表示情報、作業が完了したか否かの作業管理情報及び物理的な位置情報を、実際に作業に使用されるリーダライタ４００Ａ，４００Ｂのメモリ４０２にコピーする。書換え作業に必要な基本的な情報は作業開始時の１回の通信で済む。そして、前記サーバ５００が行っていた作業を、リーダライタ４００Ａ，４００ＢのＣＰＵ４０１が代わって行う。つまり、ＣＰＵ４０１が識別情報に応じた表示情報を表示記録媒体１００に対して送信することを指示し、書換え完了の情報をメモリ４０２に記憶する。次に、作業対象となる表示記録媒体１００を指示する点は前記第１例と同様である。そして、メモリ４０２内に予めコピーされた予定の作業が全て完了した場合に書換え作業の終了を作業者に通知する。
【００４６】
作業の終了後、リーダライタ４００Ａ，４００Ｂは確実に作業が終了したことをサーバ５００に通知する。これにて、リーダライタ４００Ａ，４００Ｂとサーバ５００との通信は、最初の１回と作業終了時の１回、都合２回で済むことになる。この通信は無線である必要はなく、有線にすればリーダライタのコストが低下する。
【００４７】
複数の作業者Ａ，Ｂが同時に書換え作業を行う場合、リーダライタ４００Ａ，４００Ｂが最初にサーバ５００の情報をコピーするときに、リーダライタ４００Ａ，４００Ｂごとに作業対象となる表示記録媒体１００が適切に配分される。つまり、担当する作業者Ａ，Ｂに必要な情報のみをコピーする。これにて、複数人での作業が重複することが解消する。仮に、間違えた表示記録媒体１００を書き換えようとした場合、ＣＰＵ４０１はメモリ４０２内にその識別情報が記憶されてないことが分かるので、作業指示情報伝達手段４０３を介して警告を行い、及び／又は書換えを禁止する。
【００４８】
以上の如く、第２例においても、適切な指示を作業者に与えることで、間違いがなく、効率的な書換え作業が可能になる。
【００４９】
（他の実施例）
なお、本発明に係る表示情報管理システムは前記実施例に限定するものではなく、その要旨の範囲内で種々に変更できることは勿論である。
【図面の簡単な説明】
【００５０】
【図１】本発明に係る表示情報管理システムで使用される表示記録媒体の一例を示す平面図である。
【図２】本発明に係る表示情報管理システムで使用される表示素子の一例を示す斜視図である。
【図３】前記表示記録媒体に内蔵されている電力受信手段を示すブロック図である。
【図４】本発明に係る表示情報管理システムで使用されるリーダライタの一例を示すブロック図である。
【図５】本発明に係る表示情報管理システムによる書換え作業の第１例を示す説明図である。
【図６】本発明に係る表示情報管理システムによる書換え作業の第２例を示す説明図である。
【符号の説明】
【００５１】
１００…表示記録媒体
１０１…表示素子
１０２…記録媒体
１０４…電力受信手段
４００…リーダライタ
４０１…ＣＰＵ
４０２…メモリ
４０３…作業指示情報伝達手段
４０４…通信手段
４０５…電力送信手段
５００…サーバ
【図１】
2007066143.tif 000003
【図２】
2007066143.tif 000004
【図３】
2007066143.tif 000005
【図４】
2007066143.tif 000006
【図５】
2007066143.tif 000007
【図６】
2007066143.tif 000008